(57)【要約】【課題】  ワイヤソーに固着された砥粒の砥粒数、砥粒間隔、偏芯量を最適化して、砥粒脱落を有効に防止することが可能なワイヤソーを提供する。【解決手段】  芯線の周囲にボンド材によって砥粒を固着したワイヤソーを透過した光を用いて前記ワイヤソーの画像を撮影し、撮影されたワイヤソーの画像の明度に基づいて砥粒の輪郭を検知して砥粒の位置を検知し、少なくとも砥粒の個数、砥粒間隔、砥粒の投影面積を検出して、砥粒の分布状態を検査するするワイヤソーの検査方法を用いて、砥粒層の投影面積に対する砥粒の投影面積が２０％以上８０％以下であり、砥粒間隔の標準偏差が２００μｍ以下であり、芯線を挟んでその両側に形成された砥粒層について、厚い砥粒層に対する薄い砥粒層の厚みの比が０．６以上となるようにワイヤソーを形成する。【選択図】          なし【特許請求の範囲】
【請求項１】
芯線の周囲にボンド材によって砥粒を固着したワイヤソーを透過した光を用いて前記ワイヤソーの画像を撮影し、撮影されたワイヤソーの画像の明度に基づいて砥粒の輪郭を検知して前記砥粒の分布状態を検査するワイヤソーの検査方法によって検出された前記砥粒の投影面積に基づいて前記投影面積を制御し、砥粒層の投影面積に対する前記砥粒の投影面積が２０％以上８０％以下となるように形成したことを特徴とするワイヤソー。
【請求項２】
前記ワイヤソーの検査方法によって検出された前記砥粒の砥粒間隔に基づいて前記砥粒間隔を制御し、前記砥粒間隔の標準偏差が２００μｍ以下となるように形成したことを特徴とする請求項１記載のワイヤソー。
【請求項３】
前記ワイヤソーの検査方法によって検出された偏芯量に基づいて前記偏芯量を制御し、芯線を挟んでその両側に形成された砥粒層について、厚い砥粒層に対する薄い砥粒層の厚みの比が０．６以上となるように形成したことを特徴とする請求項１または２記載のワイヤソー。
【請求項４】
前記ボンド材中に骨材を含まず、ボンド材の光透過率が８０％以上であることを特徴とする請求項１から３のいずれかに記載のワイヤソー。
【請求項５】
前記ボンド材が感光性樹脂からなることを特徴とする請求項１から４のいずれかに記載のワイヤソー。
【発明の詳細な説明】
【技術分野】
【０００１】
本発明は、ワイヤソー表面における砥粒の付着状態を最適化したワイヤソーに関する。
【背景技術】
【０００２】
大口径シリコンインゴットからのシリコンウエハのスライシング等を用途として、近年ワイヤソーがよく使用されている。
このワイヤソーの一種としてレジンボンドワイヤソーがあり、高抗張力金属を芯線として用い、ポリアミド、ポリイミド樹脂等の有機材料またはガラス等の無機材料をバインダーとしてこれに砥粒を分散含有させたもので芯線を被覆するという構成のものである。
【０００３】
ワイヤソー表面においては、一定量の砥粒がほぼ等しい間隔で規則的に付着していることが理想的であるが、製造上の誤差によって砥粒の付着状態が乱れる場合がある。
ワイヤソーの切断性能に最も影響を与えるのは芯線表面に固着された砥粒の固着状態であり、主に砥粒数、砥粒間隔、偏芯量が重要な要素となる。砥粒の固着状態が悪いと、早期に砥粒が脱落し、最終的にはボンド材が剥離する。ボンド材の剥離によって、切断速度は急速に低下し、加工面の精度も悪くなるとともに、ワイヤソーの寿命が短くなる。
そのため、砥粒が脱落することによるボンド材の剥離を防止して、高能率の加工を行うためには、砥粒固着状態を最適なものとすることが必要となる。
ワイヤソー表面の砥粒固着状態を良好なものとすることを目的としたワイヤソーの製造方法が、特許文献１に開示されている。
【０００４】
【特許文献１】特開２００２−０３６０９１号公報（段落番号０００９〜００７７）
【発明の開示】
【発明が解決しようとする課題】
【０００５】
しかし、この製造方法は、ワイヤソー表面において砥粒の占める面積、すなわち砥粒数を限定してワイヤソーの切断性能を管理するものであり、砥粒間隔や偏芯量の最適化を行うことができない。このように、砥粒数を管理して製造するだけでは、砥粒の脱落を有効に防止することはできない。
【０００６】
本発明は、このような事情を考慮してなされたもので、ワイヤソーに固着された砥粒の砥粒数、砥粒間隔、偏芯量を最適化して、砥粒脱落を有効に防止することが可能なワイヤソーを提供することを目的とする。
【課題を解決するための手段】
【０００７】
以上の課題を解決するために、本発明のワイヤソーは、芯線の周囲にボンド材によって砥粒を固着したワイヤソーを透過した光を用いて前記ワイヤソーの画像を撮影し、撮影されたワイヤソーの画像の明度に基づいて砥粒の輪郭を検知して前記砥粒の分布状態を検査するワイヤソーの検査方法によって検出された前記砥粒の投影面積に基づいて前記投影面積を制御し、砥粒層の投影面積に対する前記砥粒の投影面積が２０％以上８０％以下となるように形成したことを特徴とする。
【０００８】
砥粒層の投影面積に対する前記砥粒の投影面積が２０％未満であると、作用砥粒数が少ないために、早期に砥粒の脱落を生じ、ボンド材の剥離が発生する。一方、砥粒層の投影面積に対する前記砥粒の投影面積が８０％を超えると、作用砥粒数が多すぎるため、切粉の目詰まりが発生して加工能率が低下する。従って、砥粒層の投影面積に対する前記砥粒の投影面積を２０％以上８０％以下とすることにより、目詰まりを抑制して加工能率を維持しつつ、砥粒の脱落とボンド材の剥離を防止して切断性能に優れたワイヤソーを実現することができる。
【０００９】
本発明のワイヤソーは、前記ワイヤソーの検査方法によって検出された前記砥粒の砥粒間隔に基づいて前記砥粒間隔を制御し、前記砥粒間隔の標準偏差が２００μｍ以下となるように形成したことを特徴とする。
砥粒間隔の標準偏差が２００μｍを超えると、砥粒配列の分散性が悪く、砥粒が凝集した部分では被削材の加工面精度が低下し、砥粒間隔が広い部分でボンド材の剥離が生じやすい。従って、砥粒間隔の標準偏差を２００μｍ以下とすることによって、砥粒配列のばらつきによって生じる加工面精度の低下やボンド材の剥離を抑制することができる。
【００１０】
本発明のワイヤソーは、前記ワイヤソーの検査方法によって検出された偏芯量に基づいて前記偏芯量を制御し、芯線を挟んでその両側に形成された砥粒層について、厚い砥粒層に対する薄い砥粒層の厚みの比が０．６以上となるように形成したことを特徴とする。
厚い砥粒層に対する薄い砥粒層の厚みの比が０．６未満であると、砥粒層の偏芯が大きく、被削材の加工面精度が悪く、偏摩耗を生じやすい。従って、厚い砥粒層に対する薄い砥粒層の厚みの比を０．６以上とすることによって、被削材の加工面精度を良好に保ち、偏摩耗の発生を抑制することができる。
【００１１】
本発明のワイヤソーは、前記ボンド材中に骨材を含まず、ボンド材の光透過率が８０％以上であることを特徴とする。
ボンド材中に金属粉末や無機粉末等の骨材が含まれていると、骨材を砥粒として判定していまい、正確な砥粒分布の判定が困難となり、判定結果に誤差を生じやすい。また、ボンド材の光透過率が８０％未満であると、芯線と砥粒層との位置関係を測定することが困難となり、正確な砥粒分布の判定が難しい。従って、ボンド材中に骨材を含まず、ボンド材の光透過率を８０％以上とすることによって、砥粒分布の判定を正確に行って、砥粒の脱落とボンド材の剥離を防止して切断性能に優れたワイヤソーを実現することができる。
【００１２】
本発明のワイヤソーは、前記ボンド材が感光性樹脂からなることを特徴とする。
感光性樹脂は熱硬化性樹脂に比べて硬化速度が格段に速いため、ボンド材として感光性樹脂を用いることにより、砥粒分布の判定を迅速に行うことができ、ワイヤソーの生産性を高めることができる。
【発明の効果】
【００１３】
本発明によると、以下の効果を奏することができる。
（１）芯線の周囲にボンド材によって砥粒を固着したワイヤソーを透過した光を用いて前記ワイヤソーの画像を撮影し、撮影されたワイヤソーの画像の明度に基づいて砥粒の輪郭を検知して前記砥粒の分布状態を検査するワイヤソーの検査方法によって検出された前記砥粒の投影面積に基づいて前記投影面積を制御し、砥粒層の投影面積に対する前記砥粒の投影面積が２０％以上８０％以下となるように形成したことにより、目詰まりを抑制して加工能率を維持しつつ、砥粒の脱落とボンド材の剥離を防止して切断性能に優れたワイヤソーを実現することができる。
【００１４】
（２）砥粒間隔の標準偏差を２００μｍ以下とすることによって、砥粒配列のばらつきによって生じる加工面精度の低下やボンド材の剥離を抑制することができる。
【００１５】
（３）芯線を挟んでその両側に形成された砥粒層について、厚い砥粒層に対する薄い砥粒層の厚みの比を０．６以上とすることによって、被削材の加工面精度を良好に保ち、偏摩耗の発生を抑制することができる。
【００１６】
（４）ボンド材中に骨材を含まず、ボンド材の光透過率を８０％以上とすることによって、砥粒分布の判定を正確に行って、砥粒の脱落とボンド材の剥離を防止して切断性能に優れたワイヤソーを実現することができる。
【００１７】
（５）ボンド材として感光性樹脂を用いることにより、砥粒分布の判定を迅速に行うことができ、ワイヤソーの生産性を高めることができる。
【発明を実施するための最良の形態】
【００１８】
以下、本発明をその実施の形態に基づいて説明する。
まず、本発明のワイヤソーを製造するために用いられるワイヤソーの検査方法と検査装置について説明する。
【００１９】
図１に、本発明のワイヤソーの検査装置を示す。
図１において、ワイヤソー１の長手方向に対して垂直な２軸方向に、ＣＣＤカメラ２が配置され、このＣＣＤカメラ２に対向してワイヤソー１を挟んでＬＥＤ光源３が配置されている。ＣＣＤカメラ２にはカメラ用電源４が接続され、ＬＥＤ光源３にはＬＥＤ光源用電源５が接続されている。２つのカメラ用電源４にはカメラ切替器６が接続され、カメラ切替器６と２つのＬＥＤ光源３は制御装置７に接続され、制御装置７は演算装置８に接続されている。演算装置８には、その周辺機器としてのディスプレイ９、キーボード１０，およびマウス１１が接続されている。
【００２０】
この検査装置においては、ＣＣＤカメラ２によってワイヤソー１の静止画像が撮影されるが、この際にＬＥＤ光源３によってワイヤソー１に対して光が照射される。従って、ＣＣＤカメラ２はワイヤソー１を透過した光を用いてワイヤソー１の静止画像を撮影する。カメラ切替器６によって、２つのＣＣＤカメラ２のうちいずれを選択するかが切り替えられ、制御装置７によってカメラ用電源４、ＬＥＤ光源用電源５のオン／オフと、カメラ切替器６の切替が制御される。ワイヤソー１の静止画像は演算装置８に取り込まれ、そのデータが処理されてワイヤソーの良否が判定される。
【００２１】
上記の検査装置を用いたワイヤソーの検査方法について以下に説明する。
図２（ａ）に、ＣＣＤカメラ２によって撮影されたワイヤソー１の静止画像の一例を示す。ワイヤソー１は、芯線２１の周囲にボンド材２２を用いて砥粒２３を固着してなるものであるが、この検査方法においてはまず、画像の明度を読み取って、明度が大きく変化する位置に曲線Ｉを引く。この曲線Ｉはワイヤソー１と空間との境界であると判断できるため、曲線Ｉの立ち上がり部をワイヤソー１の両端と定義し、この両端から等距離の点を通ってワイヤソーの長手方向に直線Ｉを引き、この直線Ｉをワイヤソー１の中心線とする。次に、砥粒２３の輪郭部の明度を基準値として設定し、この明度を持つ点を繋いで曲線ＩＩを引き、砥粒２３の輪郭線とする。
【００２２】
図２（ｂ）は、図２（ａ）の部分拡大図であり、曲線ＩＩより芯線側に、砥粒２３をワイヤソー１の長手方向に貫く直線ＩＩ（この直線ＩＩは、曲線ＩＩの回帰直線となる）を引き、この直線ＩＩに平行であって、直線Ｉから曲線ＩＩまでの距離が最大となる点を結ぶ直線ＩＩＩと、直線Ｉから曲線ＩＩまでの距離が最小となる点を結ぶ直線ＩＶを引く。
【００２３】
直線ＩＩに平行であって、砥粒２３を最も多く含むように直線Ｖを引き（図２（ｂ）では、曲線ＩＩに囲まれた部分のみを表示）、この直線Ｖに垂直に、直線ＩＩＩから直線ＩＶまでの間に直線ＶＩを引く。この直線ＶＩは、検出された砥粒２３のほぼ中心となる位置に引かれるため、直線ＶＩの数によって砥粒数を検出することができ、隣り合う直線ＶＩの間隔によって砥粒間隔を検出することができる。
【００２４】
図３に基づいて、上記の方法により検出される砥粒数と砥粒間隔から、ワイヤソーの良否判定を行うプロセスについて説明する。
【００２５】
図３は、ワイヤソー１が、芯線２１の周囲に複数の砥粒２３（斜線を引いて示す）が固着されて形成されている様子を模式的に示しており、ワイヤソー１の外径をＷ、ワイヤソー１の左側の砥粒２３の厚さをＷL、ワイヤソー１の右側の砥粒２３の厚さをＷRとしている。また、各砥粒の投影面積をＳL1、ＳR1等とし、砥粒間隔をＬL1、ＬR1等としている。この検査方法は、以下のステップに従って実行される。
【００２６】
ステップ１
まず、砥粒数が閾値以上であるかについて判定する。ここでは、ワイヤソー１の長手方向について長さＬの部分に、左右それぞれに砥粒２３が５個ずつ固着されているものを示しており、たとえば、長さＬの部分に固着されている砥粒数が５個以上であるものを良品と判定する。この判定は、ワイヤソーの左側、右側のいずれについても行い、
左側の砥粒数≧５
右側の砥粒数≧５
のとき良と判定してステップ２に進み、それ以外のときは不可と判定して砥粒数を赤で表示して検査を終了する。
【００２７】
ステップ２
砥粒を含む砥粒層の厚さとワイヤソーの外径との比率を判定する。ワイヤソー１の外径Ｗに対する、左側の砥粒２３の厚さＷLと、右側の砥粒２３の厚さＷRとの和の比が０．５５以上であるとき、すなわち
（ＷL＋ＷR）／Ｗ≧０．５５
を満たすとき良と判定してステップ３に進み、０．５５より小さいときは不可と判定してその数値を赤で表示して検査を終了する。
【００２８】
ステップ３
芯線２１の右側と左側での砥粒２３を含む砥粒層の厚さの偏りについて判定する。左側の砥粒２３の厚さＷLと、右側の砥粒２３の厚さＷRとの比が、０．９以上であれば良と判定してステップ３に進み、０．６以上０．９未満であれば可と判定してステップ３に進む。すなわち、
ＷL≧ＷRのとき、
ＷR／ＷL≧０．９  ：良の判定
０．６≦ＷR／ＷL＜０．９  ：可の判定
ＷL≦ＷRのとき、
ＷL／ＷR≧０．９  ：良の判定
０．６≦ＷL／ＷR＜０．９  ：可の判定
とし、それ以外のときは不可と判定してその数値を赤で表示して検査を終了する。
【００２９】
ステップ４
砥粒層中での砥粒の投影面積が閾値以上であるかについて判定する。砥粒層におけるボンド材の厚みが、左側においてＷL、右側においてＷRであるとすると、砥粒層の投影面積は図示する部分について左側でＬ×ＷL、右側でＬ×ＷRである。この砥粒層の投影面積に対して、砥粒の投影面積の総和の比をとって、
０．２０≦（ＳL1＋ＳL2＋ＳL3＋ＳL4＋ＳL5）／（Ｌ×ＷL）≦０．８０
０．２０≦（ＳR1＋ＳR2＋ＳR3＋ＳR4＋ＳR5）／（Ｌ×ＷR）≦０．８０
の条件を満たすときには良と判定してステップ５に進み、それ以外のときは不可と判定してその数値を赤で表示して検査を終了する。
以上のステップ１からステップ４までは前処理段階の検査工程であり、固着している砥粒数が十分でないものや、砥粒層が偏芯しているものを排除することによって、砥粒間隔の良否判定に誤判定が生じるのを防ぐために設けたものである。
【００３０】
ステップ５
図２における直線ＶＩの間隔を検出することによって得られる砥粒間隔の標準偏差について判定を行い、砥粒の分散状態についての良否を判定する。
砥粒間隔の標準偏差は、芯線を挟んで右側の砥粒と左側の砥粒のいずれもが良と判定される条件を満たしているときに良と判定される。すなわち、左側の砥粒間隔を総称してＬLとし、右側の砥粒間隔を総称してＬRとしたときに、
ＬLの標準偏差≦２５、かつＬRの標準偏差≦２５
のときに良と判定し、この範囲を除いて
ＬLの標準偏差≦７０、かつＬRの標準偏差≦７０
のときに可と判定する。
なお、以上の標準偏差における数値は、静止画像における画素数を意味しており、これらの数値の単位は画素のドット数となる。このドット数を砥粒間隔に換算すると、標準偏差の上限は２００μｍとなる。
【００３１】
以上のステップによって良と判定された場合には、そのままワイヤソーの製造が続けられる。可と判定された場合には、あらかじめ設定された回数だけ「可」の判定が連続した場合は、警報を鳴らし、装置停止等の処置がなされる。また、不可と判定されたときには、検査終了後に、警報を鳴らし、装置停止の処置がなされる。
なお、上記の説明における数値は一例であって、上記のものに限定されず、必要に応じて適宜定めることができる。
【００３２】
上記の測定に使用される光として、例えば可視光の波長領域（波長４００ｎｍ〜７００ｎｍ）の光を用いることができる。ボンド材の光透過度は８０％以上であることが好ましい。ボンド材の光透過度が８０％未満であると、光透過度が低いために、ワイヤソーを透過した光を用いて芯線と砥粒層との位置関係を測定することが困難になるからである。
また、測定に使用できる光源としては、蛍光灯、ハロゲンランプ、ＬＥＤ等の白色光を用いることができる。
【００３３】
以上のステップを経て、本発明のワイヤソーが製造される。具体的には、ステップ４によって、砥粒層の投影面積に対する砥粒の投影面積が２０％以上８０％以下となるようにワイヤソーが形成され、ステップ５によって、砥粒の間隔の標準偏差が２００μｍ以下であるワイヤソーが形成される。また、ステップ３によって、芯線を挟んでその両側に形成された砥粒層について、厚い砥粒層に対する薄い砥粒層の厚みの比が０．６以上であるワイヤソーが形成される。
【００３４】
次に、ワイヤソーの砥粒の投影面積、砥粒間隔、偏芯量が以上の範囲内となるように制御する方法について説明する。
図４に、ワイヤソーの砥粒の分布状態を制御しつつワイヤソーを製造する工程を図示する。
砥粒が混入された樹脂を貯留するボンド槽３１内に芯線３２を通過させ、ボンド槽３１を通過した被覆ワイヤ３３の被覆厚みをダイス３４により均一化する。
ダイス３４の周囲には、図４（ｂ）に示すように、被覆ワイヤ３３が通過する方向に対して垂直な平面内で直交する２軸（Ｘ軸、Ｙ軸）方向に、ダイス位置制御部３５が設けられている。
ダイス３４を通過した被覆ワイヤ３３は、紫外線照射装置等からなる樹脂硬化部３６により被覆層の液状樹脂が硬化される。
【００３５】
その後、被覆ワイヤ３３は、挟み込みローラ３７を通過することによって進行方向が変えられ、又、両端を挟み込み保持されることにより被覆ワイヤ３３の軸方向の回転を抑制し、Ｘ、Ｙ軸の変動が防止される。続いて、振れ防止用の第１のＶ溝プーリー３８を通過する。この第１のＶ溝プーリー３８を通過する際に、Ｙ軸方向観察用カメラ３９によって、被覆ワイヤ３３の砥粒層のＹ軸方向の厚みが測定される。図４（ｃ）に、被覆ワイヤ２の進行方向に対して垂直なＹ軸方向、Ｘ軸方向を示す。
その後、被覆ワイヤ３３は振れ防止用の第２のＶ溝プーリー４０を通過する。この第２のＶ溝プーリー４０を通過する際に、Ｘ軸方向観察用カメラ４１によって、被覆ワイヤ３３の砥粒層のＸ軸方向の厚みが測定される。
その後、被覆ワイヤ３３は挟み込みローラ３７を通過した後、巻き取られる。
【００３６】
砥粒層の投影面積に対する砥粒の投影面積が２０％以上８０％以下となるようにワイヤソーを形成することは、以下の方法で実現することが可能である。すなわち、砥粒の投影面積が２０％近くまで低下したときは、ボンド槽３１に砥粒のみを追加してボンド槽３１内の砥粒の密度を高める。一方、砥粒の投影面積が８０％近くまで増大したときは、ボンド槽３１に樹脂のみを追加してボンド槽３１内の砥粒の密度を低下させる。
また、砥粒の間隔の標準偏差が２００μｍ以下であるワイヤソーを形成することは、ボンド槽３１内を攪拌して砥粒と樹脂との分散性を高めることによって可能である。
さらに、芯線を挟んでその両側に形成された砥粒層について、厚い砥粒層に対する薄い砥粒層の厚みの比が０．６以上であるワイヤソーを形成するためには、ダイス位置制御部３５によってダイス３４の位置を調整して、ダイス３４の中心を被覆ワイヤ３３が通過するように制御することによって可能である。
【００３７】
以上の方法で製造されたワイヤソーについて切断試験を行った。
ワイヤソーを形成する芯線及び砥粒は以下の通りである。
芯線：φ０．１８ｍｍ
砥粒：Ｎｉコート砥粒  ４０／６０μｍ
試験条件は以下の通りである。
切断装置：単線切断装置
ワイヤ速度：平均４００ｍ／ｍｉｎ
ワイヤテンション：１９．５Ｎ
被切断材：ソーダガラス  ２０ｍｍ幅
【００３８】
表１に砥粒の投影面積を変えて製造されたワイヤソーに対する試験結果を示す。
【００３９】
【表１】
2005074599.tif 000002
【００４０】
表１において、切れ味は、加工開始後５分間の切り溝長さを、砥粒の投影面積が４２％のときの値を１００としたときの指標で表している。切れ味低下率は、加工開始から５分間における切れ味に対する、加工開始４０分経過後から５分間の切れ味の比率を表している。また、ワイヤ摩耗率は、加工開始４０分経過後１０個所で測定したワイヤソーの径を平均化し、加工開始前のワイヤソーの径との差をワイヤソー径変化量として求め、｛（ワイヤソー径変化量）／（砥粒層厚み×２）｝×１００の計算式にて求めたものである。
【００４１】
表１からわかるように、砥粒層の投影面積に対する砥粒の投影面積が２０％以上８０％以下のときに、切れ味、切れ味低下率、ワイヤ摩耗率のいずれも良好な値を示している。これに対し、砥粒層の投影面積に対する前記砥粒の投影面積が２０％未満のときには、切れ味、切れ味低下率、ワイヤ摩耗率のいずれについても劣っている。これは、作用砥粒数が少ないために、早期に砥粒の脱落を生じ、ボンド材の剥離が発生するためである。一方、砥粒層の投影面積に対する前記砥粒の投影面積が８０％を超えると、切れ味が低下しているが、これは作用砥粒数が多すぎるため、切粉の目詰まりが発生して加工能率が低下するためである。
【００４２】
表２に砥粒間隔の標準偏差を変えて製造されたワイヤソーに対する試験結果を示す。
【００４３】
【表２】
2005074599.tif 000003
【００４４】
表２において、面粗さは、砥粒間隔の標準偏差が１０５μｍであるときの加工後の被切断材の面粗さを１００としたときの指標で表している。
表２からわかるように、砥粒間隔の標準偏差が２００μｍを超えると、面粗さが劣化している。これは、砥粒間隔の標準偏差が２００μｍを超えると、砥粒配列の分散性が悪いために、砥粒が凝集した部分では被削材の加工面精度が低下し、砥粒間隔が広い部分ではボンド材の剥離が生じやすいという事態を生じて、面粗さを良好な状態に保てなくなるからである。
【００４５】
表３に、偏芯量を変えて製造されたワイヤソーに対する試験結果を示す。
【００４６】
【表３】
2005074599.tif 000004
【００４７】
ここで、偏芯量とは、芯線を挟んでその両側に形成された砥粒層について、厚い砥粒層に対する薄い砥粒層の厚みの比のことをいう。
表３からわかるように、偏芯量が０．６未満であると、切れ味、切れ味低下率、ワイヤ摩耗率、面粗さのいずれもが劣化している。これは、砥粒層の偏芯が大きいために、被削材の加工面精度が悪く、偏摩耗を生じやすいためである。
【産業上の利用可能性】
【００４８】
本発明は、切断用のワイヤソーとして利用することができる。
【図面の簡単な説明】
【００４９】
【図１】本発明のワイヤソーの検査装置の一例を示す図である。
【図２】ＣＣＤカメラによって撮影されたワイヤソーの静止画像の一例を示す図である。
【図３】芯線の周囲に複数の砥粒が固着されてワイヤソーが形成されている様子を模式的に示す図である。
【図４】本発明のワイヤソーの製造工程を示す図である。
【符号の説明】
【００５０】
１  ワイヤソー
２  ＣＣＤカメラ
３  ＬＥＤ光源
４  カメラ用電源
５  ＬＥＤ光源用電源
６  カメラ切替器
７  制御装置
８  演算装置
９  ディスプレイ
１０  キーボード
１１  マウス
２１  芯線
２２  ボンド層
２３  砥粒
３１  ボンド槽
３２  芯線
３３  被覆ワイヤ
３４  ダイス
３５  ダイス位置制御部
３６  樹脂硬化部
３７  挟み込みローラ
３８  第１のＶ溝プーリー
３９  Ｙ軸方向観察用カメラ
４０  第２のＶ溝プーリー
４１  Ｘ軸方向観察用カメラ
【図１】
2005074599.tif 000005
【図２】
2005074599.tif 000006
【図３】
2005074599.tif 000007
【図４】
2005074599.tif 000008